(57)【要約】【課題】適正な重ね着を容易に行うことを可能とする袖口保持具の提供を目的とする。【解決手段】袖口保持具１は、衣類２３の袖口２２を所定位置に保持するための袖口保持具１であって、指股２１に係止するための指股係止部２と、指股係止部２に連結されてなり、衣類２３の袖口２２に係止するための袖口係止部３とを備えてなる。また、前記構成において、指股係止部２が索状部材９により構成されるとともに、袖口係止部３が当該索状部材９の端部に設けられ、当該索状部材９の途中部分に設けられた長さ調整具８によって指股２１当接位置から袖口係止部３までの索状部材９の長さを調整可能に構成していることを特徴とするものである。【選択図】図１
2009299200.tif 000002
【特許請求の範囲】
【請求項１】
衣類の袖口を所定位置に保持するための袖口保持具であって、指股に係止するための指股係止部と、指股係止部に連結されてなり、衣類の袖口に係止するための袖口係止部とを備えてなる袖口保持具。
【請求項２】
指股係止部が索状部材により構成されるとともに、袖口係止部が当該索状部材の端部に設けられ、当該索状部材の途中部分に設けられた長さ調整具によって指股当接位置から袖口係止部までの索状部材の長さを調整可能に構成していることを特徴とする請求項１に記載の袖口保持具。
【請求項３】
長さ調整具が、長さ調整具本体と、長さ調整具本体に形成された開口部から長さ調整具本体内に挿通可能な挿通部材と、長さ調整具本体内に収容されたバネとを備え、
前記挿通部材は長さ調整具本体内に挿通した際に長さ調整具本体内のバネに係合可能に構成され、長さ調整具本体と該長さ調整具本体内に挿通された挿通部材との双方の位置合わせされた所定位置に２つ折りにされた索状部材の折り返し部分を挿通するための挿通穴がそれぞれ形成されており、該挿通穴から索状部材の折り返し部分が抜けるのを防止するための止め具を備えたことを特徴とする請求項２に記載の袖口保持具。
【請求項４】
指股係止部の指股に接触する部分に、緩衝材を設けたことを特徴とする請求項１から請求項３のいずれか一項に記載の袖口保持具。
【請求項５】
袖口係止部に、衣類の袖口を挟持するための挟持部と、挟持部の開閉操作を行うための操作部を設け、操作部は挟持部本体に揺動可能に枢支されており、操作部を折り起こした時に挟持部が開き、操作部を倒したときに挟持部が閉じるよう構成し、操作部を倒したときに操作部が挟持部の表面部分と略面一状に形成されていることを特徴とする請求項１から請求項４のいずれか一項に記載の袖口保持具。
【請求項６】
挟持部の袖口を挟持する挟持面に滑り止め部が設けられている請求項５に記載の袖口保持具。
【発明の詳細な説明】
【技術分野】
【０００１】
本発明は、袖口保持具に関するものである。
【背景技術】
【０００２】
従来、乳幼児や高齢者、身体障害者等の自分で衣類の着脱を行うことが困難となる者に対し、乳幼児の保育者や高齢者の介護者、身体障害の介助者等が、乳幼児や高齢者、身体障害者等に衣類の重ね着をさせる際に、内側に着用する衣類の袖が二の腕や肩近傍まで引き寄せられ、捲れ上がって適正に重ね着をさせることができなかった。
【０００３】
一方、袖口の保持に関し、下記特許文献１に袖口部に１本または複数本の手バンドが設けられている無塵衣に関する開示がある。これにより、無塵衣の袖口が手首にしっかりと固定されるので、無塵衣の袖口のずれを防止することができる。従って、手首が環境中に露出することもなく、袖口及び手首からの発塵を防止することができるので、クリーンルーム内の清浄性が向上する。
【０００４】
【特許文献１】実開平６−８３７２１号公報
【発明の開示】
【発明が解決しようとする課題】
【０００５】
しかしながら、上記特許文献１に記載の無塵衣の手バンドは、自分で衣類の着脱を行うことが困難となる者に対し重ね着をさせることを想定したものではなかった。
【０００６】
本発明は、上記した従来の問題点に鑑みてなされたものであって、適正な重ね着を容易に行うことを可能とする袖口保持具の提供を目的とする。
【課題を解決するための手段】
【０００７】
上記目的を達成するために、本発明に係る袖口保持具は、衣類の袖口を所定位置に保持するための袖口保持具であって、指股に係止するための指股係止部と、指股係止部に連結されてなり、衣類の袖口に係止するための袖口係止部とを備えてなる。
【０００８】
また、前記構成において、指股係止部が索状部材により構成されるとともに、袖口係止部が当該索状部材の端部に設けられ、当該索状部材の途中部分に設けられた長さ調整具によって指股当接位置から袖口係止部までの索状部材の長さを調整可能に構成していることを特徴とするものである。
【０００９】
そして、前記した各構成において、長さ調整具が、長さ調整具本体と、長さ調整具本体に形成された開口部から長さ調整具本体内に挿通可能な挿通部材と、長さ調整具本体内に収容されたバネとを備え、
前記挿通部材は長さ調整具本体内に挿通した際に長さ調整具本体内のバネに係合可能に構成され、長さ調整具本体と該長さ調整具本体内に挿通された挿通部材との双方の位置合わせされた所定位置に２つ折りにされた索状部材の折り返し部分を挿通するための挿通穴がそれぞれ形成されており、該挿通穴から索状部材の折り返し部分が抜けるのを防止するための止め具を備えたものである。
【００１０】
そして、前記した各構成において、指股係止部の指股に接触する部分に、緩衝材を設けたものである。
【００１１】
更に、前記した各構成において、袖口係止部に、衣類の袖口を挟持するための挟持部と、挟持部の開閉操作を行うための操作部を設け、操作部は挟持部本体に揺動可能に枢支されており、操作部を折り起こした時に挟持部が開き、操作部を倒したときに挟持部が閉じるよう構成し、操作部を倒したときに操作部が挟持部の表面部分と略面一状に形成されているものである。
【００１２】
更に、前記した各構成において、挟持部の袖口を挟持する挟持面に滑り止め部が設けられているものである。
【発明の効果】
【００１３】
本発明に係る袖口保持具によれば、衣類の袖口を所定位置に保持するための袖口保持具であって、指股に係止するための指股係止部と、指股係止部に連結されてなり、衣類の袖口に係止するための袖口係止部とを備えてなるので、衣類の袖口を所定位置に保持することができ、容易に重ね着を行うことができる。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。
【実施例１】
【００１５】
図１は実施例１に係る袖口保持具の正面図、図２は前記袖口保持具の袖口係止部の側面拡大図、図３は前記袖口保持具を指股に係止した状態を示す図、図４は前記袖口保持具の使用状態を示す図である。
本実施例１に係る袖口保持具１は、複数の衣類、特に長袖の被服等を重ね着する際に用いるものであって、内側に着用する下着やシャツなどの衣類２３の袖口２２を手首近傍の所定位置に保持し、この状態でトレーナー、セーター、シャツ等の衣類を外側に重ね着用するためのものである。
【００１６】
各図において、この袖口保持具１は、重ね着を行う者の手の指と指との間の指股２１に係止するための指股係止部２と、指股係止部２に連結されてなり、衣類２３の袖口２２に係止するための袖口係止部３とを備えてなる。指股係止部２を係止する指股２１は、５本の指の隣り合ういずれの指の間であってもよいが、図３，４に示すように、手の親指と人差し指との間の指股２１ａに指股係止部２を係止する場合には、指と指との間隔を最も広く開くことが可能であり、また、親指は他の４指に比較してより自在に動くので、指股係止部２を容易に係止することができ、また外れにくくすることも可能となる。更に、後述する長さ調整具８による長さの調整も指と指との間隔が広いために容易に行うことができるようになる。
【００１７】
本実施例１において、指股係止部２は索条部材９により構成され、当該索条部材９の端部に袖口係止部３が設けられている。索条部材９として例えば、紐、ゴム紐、輪ゴム、糸、凧糸、毛糸、リボン、針金、索状の合成樹脂成型品等が挙げられる。また、袖口係止部３は、索条部材９の左右両端部に設けられ、索状部材９の左右端部が、後述する袖口係止部３の挟持部本体１１に形成された穴部１４に挿通され折り返された上で、金属又は合成樹脂製の止め具２０により索状部材９の端部が固定されている。
【００１８】
索条部材９の途中部分には、索条部材９の長さ調整具８が設けられており、この長さ調整具８によって指股２１当接位置から袖口係止部３までの索条部材９の長さが調整可能となっている。本実施例１における長さ調整具８は、有底筒状の長さ調整具本体６と、長さ調整具本体６に形成された開口部（図示しない）から長さ調整具本体６内に挿通可能な挿通部材５と、長さ調整具本体６内に収容されたバネ（図示しない）とを備えている。この挿通部材５は長さ調整具本体６内に挿通した際に長さ調整具本体６内のバネに係合可能に構成されている。そして、長さ調整具本体６と該長さ調整具本体６内に挿通された挿通部材５との双方の位置合わせされた所定位置に、２つ折りにされた索状部材９の折り返し部分を挿通するための挿通穴１０がそれぞれ形成されている。
【００１９】
この挿通穴１０に、長手方向中央部で２つ折りにされた索条部材９の折り返し部分が挿通されており、長さ調整具本体６内のバネの付勢によって索条部材９の所定箇所を固定することで、索条部材９の指股２１当接位置から袖口係止部３までの長さを調整するようになっている。
【００２０】
そして、挿通穴１０から索条部材９の折り返し部分が抜けるのを防止するとともに、指股係止部２の長さを調整する際に把持するための止め具７が設けられている。この止め具７には貫通穴７ａが形成され、索条部材９の中央部近傍が挿通されている。この止め具７を設けたことにより、指股２１当接位置から袖口係止部３までの指股係止部２の長さを容易に調整することができる。即ち、指股係止部２の長さを短くする際には、挿通部材５をバネの付勢に逆らって押圧することで索状部材９の固定を解除した後、この止め具７を把持して挿通穴１０から索状部材９を止め具７側へ引き出すことで、容易に指股係止部２の長さを短く調整することができる。
【００２１】
尚、本実施例１では、この止め具７の形状を球状としたが、挿通穴１０から索状部材９が抜けるのを防止可能であり、且つ把持可能な形状であれば特に限定されず、立方体状、直方体、楕円体状または水滴状等であってもよい。
【００２２】
指股係止部２の指股２１に接触する部分には、ゴム管、皮革製品などを所定の形状に加工してなる緩衝材４を設けている。図１〜４においては、一例として、所定長さのゴム管の長手方向中央部側面に側面貫通穴４ａを形成した緩衝材４を示している。このように、指股係止部２の指股２１に接触する部分に、緩衝材４を設けた場合には、長さ調整具８によって索状部材９の長さを調整する際に挿通穴１０に指股２１の皮膚が引き込まれ、手を痛めるのを防止できる。また、索条部材９として凧糸、細い紐や針金などを用いた場合であっても緩衝材４を設けたために指股２１に索条部材９が食い込んだり、摩擦によって手を痛めるといったことがなく、手を保護することができる。
【００２３】
そして、索状部材９はこの緩衝材４、挿通穴１０、及び貫通穴７ａを順次挿通されてなる。即ち、例えば、索状部材９としての凧糸は、緩衝材４としてのゴム管の一方の端部からゴム管内に挿通され、側面貫通穴４ａより引き出され、長さ調整具８の挿通穴１０、及び止め具７の貫通穴７ａに挿通され、再び長さ調整具８の挿通穴７ａに挿通された後、再度側面貫通穴４ａに戻され、ゴム管の他端側端部より挿出させてなるものである。
【００２４】
袖口係止部３は、衣類２３の袖口２２を係止できれば特に限定されず、クリップ、洗濯バサミ等の袖口２２を挟持可能な部材や、フック等の袖口のボタン穴に係止可能な部材、または穴部を有する布地や合成樹脂製部材、輪ゴム等の衣類２３の袖口２２に取り付けられたボタンに係止可能な部材等が挙げられる。
【００２５】
本実施例１に係る図１〜４おいては、袖口係止部３の一例として衣類２３の袖口２２を挟持するための挟持部１２と、挟持部１２の開閉操作を行うための操作部１３を設けた合成樹脂製のクリップを示している。このように、袖口２２を挟持するための挟持部１２を有することで、袖口にボタンやボタン穴の形成されていない衣類２３においても袖口２２を係止することができる。
【００２６】
図２に示すように、操作部１３は挟持部本体１１に揺動可能に枢支されており、図２（ａ）に示すように、操作部１３を倒した状態では挟持部１２が閉じており、逆に図２（ｂ）に示すように操作部１３を折り起こし、左斜め上方に突出させた状態では挟持部１２が開くよう構成している。そして、図２（ａ）に示す操作部１３を倒した状態では、図２において上側となる一方の挟持部１２ａの表面部分と、操作部１３表面部分とが略面一状に形成されている。
【００２７】
また、挟持部１２の袖口２２を挟持する挟持面１６に滑り止め部１５が設けられている。図１〜４においては、滑り止め部１５として先端が鋭利な合成樹脂製の突起物が挟持面１６から突出するように挟持部１２に一体に成形した例を示したが、滑り止め部１５の形状や材質はこれに限定されず、合成物又は天然物からなり先端が丸みのある突起物、ゴム材、発泡体等を一体成形または接着したものなどであってよい。
【００２８】
引続き、袖口保持具１の動作につき、以下に説明する。
袖口保持具１を使用するには、まず、長さ調整具８によって指股係止部２の長さが最長となるよう調整する。そして、重ね着を行う者が内側に着用している衣類２３の袖口２２の例えば親指側の所定位置２箇所に一対の袖口係止部３，３をそれぞれ係止する。袖口係止部３を袖口２２に係止するには、操作部１３を折り起こすことによって、挟持部１２を開き、この開いた状態で挟持部１２を衣類の袖口２２に挟み、そして、操作部１３を倒すことによって挟持部１２を閉じ、これにより、衣類２３の袖口２２を挟持する。
【００２９】
次に、指股係止部２を例えば親指と人差し指との間の指股２１ａに引っ掛け、指股係止部２の長さを指股２１から袖口２２までの長さに合うように長さ調整具８を調整し、これにより緩衝材４が手の指股２１を挟んだ掌側及び甲側に沿って当接するようになる。
【００３０】
このようにして、左右双方の袖の袖口２２に袖口係止部３を係止させ、袖口保持具１を装着した後、図４に示すように、内側の衣類２３に重ねる外側となる衣類２４を着用する。その際、外側の衣類２４の袖に腕を通しても、袖口保持具１が内側の衣類２３の袖口２２を手首近傍の所定位置に保持しているので、内側に着用している衣類２３の袖口２２が二の腕や肩近傍まで引き寄せられることなく、適正に重ね着をすることができる。これにより、従来、衣類の重ね着を行う際に内側に着用している衣類の袖口が二の腕や肩近傍まで引き寄せられたものを元に戻すために要した多大な労力と時間とを解消できる。
【００３１】
特に、重ね着を行う者が乳幼児である場合には衣類の袖の直径が小さいため、内側の袖が肩近傍へ引き寄せられた状態から手首近傍まで戻し、整える行為は非常に困難となり、重ね着を行う者が大人である場合に比較して更に多くの労力と時間とを要することとなる。しかしながら、本実施例１にかかる袖口保持具１を使用することによって、かかる労力が不要となるので、育児者の負担を軽減できる。
【００３２】
また、本実施例１に係る袖口保持具１は、指股２１に係止するための指股係止部２を備えているので、リストバンドなどを用いて袖口を手首に係止する場合に比較して、袖口２２がずれたりしにくくなる。
【００３３】
そして、本実施例１の袖口保持具１は、一対の袖口係止部３によって、袖口２２の二箇所に係止するので、袖口を一箇所のみで係止する場合に比較して、袖口係止部３を袖口２２から外れにくくすることができる。また、外側の衣類２４の袖を通した際に、袖口を一箇所のみで係止する場合よりも二箇所で係止する方が袖口２２の全周がよりずれにくくなり、所定位置に保持する能力が高まる。
【００３４】
指股係止部３の指股２１に接触する部分に、緩衝材４を設けたので、指股係止部３に接触する指股及び掌、手の甲等を保護することができる。
【００３５】
袖口係止部３に、衣類２３の袖口２２を挟持するための挟持部１２と、挟持部１２の開閉操作を行うための操作部１３を設け、操作部１３は挟持部本体１１に揺動可能に枢支されており、操作部１３を折り起こした時に挟持部１２が開き、操作部１３を倒したときに挟持部１２が閉じるよう構成し、操作部１３を倒したときに操作部１３が挟持部１２の表面部分と略面一状に形成されているので、外側に着用する衣類２４の袖に腕を挿通するときにも、操作部１３が挟持部本体１１から突出して嵩張るといったことがないので、外側の衣類２４の挿通を妨げず、外側の衣類２４の袖に円滑に腕を通すことができる。
【００３６】
挟持部１２の袖口２１を挟持する挟持面１６に滑り止め部１５が設けられているので、内側に着用する衣類２３が薄手の生地や、シルク、ポリエステルといった滑らかな手触りの生地からなる衣類である場合にも、挟持部９が袖口２２から外れてしまうことなく、適正に重ね着を行うことができる。
【００３７】
そして、七分袖等の袖の若干短い衣類を内側に着用する場合等には、図５に示すように、長さ調整８によって指股係止部２の長さが長くなるよう調整する。これにより、内側に着用する衣類２３の袖の長さが短いために、指股２１から袖口２２ａまでの長さが長くなる場合であっても、指股係止部２の長さを長さ調整具８により調整するだけで同様に適正な重ね着を行うことができる。
【００３８】
従って、袖の長さが異なる種々の衣類を内側の衣類２３として着用する場合にも、長さ調整具８によって指股２１当接位置から袖口係止部３までの索状部材９の長さを自由に調整することで、一の袖口保持具１を用いて適正な重ね着を行うことができる。また、手の大きさや腕の長さの異なる複数の者、例えば子供と大人とに対し、同じ袖口保持具１を使用可能である。
【実施例２】
【００３９】
図６は、実施例２に係る袖口保持具の正面図である。実施例２に係る袖口保持具１ａは、上記実施例１と異なり、長さ調整具８ａと緩衝材４ａとが一体に形成されている。この一体に形成された長さ調整具８ａ及び緩衝材４ａは、例えば合成樹脂製とすることで安価に製造でき、軽量で且つ耐久性が高くなる。このように、長さ調整具８ａと緩衝材４ａとが一体に形成されることで、袖口保持具１ａの製造工程が簡略化され、製造コストの低減、製造時間の短縮が可能である。
【実施例３】
【００４０】
図７は、実施例３に係る袖口保持具１ｂの斜視図である。実施例３に係る袖口保持具１ｂは、長さ調整具８の長さ調整具本体６を係合保持するための係合部１７を、緩衝材４ｂと一体に設けている。これにより係合部１７に長さ調整具８の長さ調整具本体６を係合し、保持することができるので、容易に索状部材９の長さ調整ができ、また、袖口保持具１ｂの袖口２２への装着等の取り扱いが容易となる。
【実施例４】
【００４１】
図８は、実施例４に係る袖口保持具の正面図である。実施例４に係る袖口保持具１ｃは、上記実施例１と異なり、長さ調整具８ｂに二箇所の挿通穴１０ａ，１０ｂが形成され、各々に索状部材９を挿通するようになっている。このように挿通穴１０ａ，１０ｂが二箇所形成されることにより、止め具７がなくとも索状部材９が挿通穴１０ａ，１０ｂから抜けることがない。
【実施例５】
【００４２】
図９は、実施例５に係る袖口保持具の正面図である。実施例５に係る袖口保持具１ｄは、緩衝材４ｃを上記実施例１のゴム管に替えて、革製や布製の略楕円状の部材としたものであって、緩衝材４ｃの楕円状の短尺方向に平行に複数の切込１８を形成し、この切込１８に索条部材９を挿通している。
【実施例６】
【００４３】
図１０は、実施例６に係る袖口保持具の斜視図である。実施例６に係る袖口保持具１ｅは、指股係止部２ａの端部に連結される袖口係止部３ａが１個のみであり、また、指股係止部２ａはゴム紐により構成されている。袖口係止部３ａが１個のみであるので、袖口係止部３ａを袖口に係止する際の労力が袖口係止部３が２個ある場合より少なくてすむ。また、指股係止部２ａはゴム紐により構成されているので、長さ調整具８を設けなくともゴム紐が自由に伸び縮みするので指股係止部２ａの長さの調整が可能であり、緩衝材４がなくとも手を痛めにくくなる。
【実施例７】
【００４４】
図１１は、実施例７に係る袖口保持具の斜視図である。実施例７に係る袖口保持具１ｆは、本実施例１に係る有底筒状の長さ調整具本体６と挿通部材５とからなる長さ調整具８に替えて、内部にバネが収容された円板状の長さ調整具本体６ａと、該長さ調整具本体６ａの前面に形成された収容穴２０に挿通可能な挿通部材５ａとを備えている。挿通部材５ａは、収容穴２０から突出して形成されている。実施例７に係る長さ調整具８ｃにより索状部材９の長さを調整するには、長さ調整具本体６ａ内のバネの付勢に逆らって挿通部材５ａを押圧し、収容穴２０内に挿通部材５ａを押し込み、この状態で索状部材９の長さを自由に調整する。そして、挿通部材５ａの押圧を解除することで、バネの付勢により索状部材９の所定位置が長さ調整具本体６ａ内に固定され、これにより索状部材９の長さを調整する。
【実施例８】
【００４５】
図１２は、実施例８に係る袖口保持具の袖口係止部３ａの側面拡大図である。実施例８に係る袖口係止部３ａは、操作部１３ａが挟持部本体１１ａに揺動可能に枢支されており、操作部１３ａに形成された穴部１４ａに索状部材９が挿通されている。また、実施例１２に係る袖口係止部３ａの操作方法は、図１２（ｂ）に示すように操作部１３ａを上方または同図において破線で示す下方に折り起こした状態では挟持部１２ｂ，１２ｂが開き、図１２（ａ）に示す操作部１３ａを倒した状態では、挟持部１２ｂ，１２ｂが閉じるようになっている。この挟持部１２ｂ，１２ｂが閉じた状態では、挟持部１２ｂ，１２ｂの表面部分と操作部１３ａの表面部分とが略面一状に形成されている。
【図面の簡単な説明】
【００４６】
【図１】本発明の一実施形態に係る袖口保持具の正面図である。
【図２】前記袖口保持具の袖口係止部の側面拡大図である。
【図３】前記袖口保持具を指股に係止した状態を示す図である。
【図４】前記袖口保持具の使用状態を示す図である。
【図５】前記袖口保持具を指股に係止した他の状態を示す図である。
【図６】本発明の他の実施形態に係る袖口保持具の正面図である。
【図７】本発明の更に他の実施形態に係る袖口保持具の斜視図である。
【図８】本発明の更に他の実施形態に係る袖口保持具の正面図である。
【図９】本発明の更に他の実施形態に係る袖口保持具の正面図である。
【図１０】本発明の更に他の実施形態に係る袖口保持具の斜視図である。
【図１１】本発明の更に他の実施形態に係る袖口保持具の斜視図である。
【図１２】本発明の更に他の実施形態に係る袖口保持具の袖口係止部の側面拡大図である。
【符号の説明】
【００４７】
１，１ａ，１ｂ，１ｃ，１ｄ，１ｅ，１ｆ  袖口保持具
２    指股係止部
３，３ａ  袖口係止部
４，４ａ，４ｂ    緩衝材
５，５ａ  挿通部材
６，６ａ  長さ調整具本体
７  止め具
７ａ  挿通穴
８，８ａ，８ｂ，８ｃ    長さ調整具
９    索状部材
１１，１１ａ  挟持部本体
１２，１２ａ，１２ｂ，１２ｃ  挟持部
１３，１３ａ  操作部
１５  滑り止め部
１６  挟持面
【図１】
2009299200.tif 000003
【図２】
2009299200.tif 000004
【図３】
2009299200.tif 000005
【図４】
2009299200.tif 000006
【図５】
2009299200.tif 000007
【図６】
2009299200.tif 000008
【図７】
2009299200.tif 000009
【図８】
2009299200.tif 000010
【図９】
2009299200.tif 000011
【図１０】
2009299200.tif 000012
【図１１】
2009299200.tif 000013
【図１２】
2009299200.tif 000014